(57)【要約】【課題】設定する省電力動作モードによって表示画質が変わる表示装置において表示画質を同一にする。【解決手段】他の表示装置に設定されている省電力動作モードの情報を取得する取得部と、他の表示装置に設定されている省電力動作モードに基づいて、自機及び他の表示装置の省電力動作モードを設定する設定部と、他の表示装置に対し、設定部により設定された省電力動作モードの情報及び設定要求を送信する送信部と、他の表示装置から、省電力動作モードの情報及び設定要求を受信する受信部と、を備え、設定部は、自機と他の表示装置との省電力動作モードを同一にするとともに、送信部により当該省電力動作モードの情報及び設定要求を送信するか、又は、受信部から省電力動作モードの情報及び設定要求を受信した場合、当該受信した省電力動作モードを自機に設定することを特徴とする表示装置。【選択図】図３
2014013323.tif 000002
【特許請求の範囲】
【請求項１】
表示画質が各々異なる複数の省電力動作モードを切り換えることができる表示装置であって、
他の表示装置に設定されている省電力動作モードの情報を取得する取得部と、
前記取得部により取得した、前記他の表示装置に設定されている省電力動作モードに基づいて、自機及び他の表示装置の省電力動作モードを設定する設定部と、
他の表示装置に対し、前記設定部により設定された省電力動作モードの情報及び当該省電力動作モードへの設定の要求を送信する送信部と、
他の表示装置から、省電力動作モードの情報及び当該省電力動作モードへの設定の要求を受信する受信部と、
を備え、
前記設定部は、自機と他の表示装置との省電力動作モードを同一にするとともに、前記送信部により当該省電力動作モードの情報及び当該省電力動作モードへの設定の要求を送信するか、又は、前記受信部から前記省電力動作モードの情報及び当該省電力動作モードへの設定の要求を受信した場合、当該受信した省電力動作モードを自機に設定することを特徴とする表示装置。
【請求項２】
前記設定部は、前記表示装置の電池残量、ユーザによる省電力動作モードの設定、又は、ユーザによる表示装置に対する操作が無い時間である無操作時間のいずれかを設定要因として、当該設定要因に応じて複数の省電力動作モードを切り換える請求項１に記載の表示装置。
【請求項３】
前記取得部は、前記他の表示装置に設定されている省電力動作モードの設定要因の情報を取得し、
前記設定部は、前記取得部が取得した前記他の表示装置に設定されている省電力動作モード及び設定要因に基づいて、自機及び他の表示装置の省電力動作モードを設定する請求項１又は２に記載の表示装置。
【請求項４】
前記受信部は、他の表示装置から、前記送信部が送信した省電力動作モードの設定を拒否することを示す情報を更に受信し、
前記受信部が前記拒否することを示す情報を受信した場合、警告表示を行う請求項１〜３のいずれか１項に記載の表示装置。
【請求項５】
前記受信部が前記拒否することを示す情報を受信した場合、前記設定部は、前記送信部が送信した前記省電力動作モードよりも消費電力が低い他の省電力動作モードを、自機及び他の表示装置の省電力動作モードとして再設定する請求項４に記載の表示装置。
【請求項６】
表示画質が各々異なる複数の省電力動作モードを切り換えることができる表示装置の制御方法であって、
他の表示装置に設定されている省電力動作モードの情報を取得する取得工程と、
前記取得工程により取得した、前記他の表示装置に設定されている省電力動作モードに基づいて、自機及び他の表示装置の省電力動作モードを設定する設定工程と、
他の表示装置に対し、前記設定工程により設定された省電力動作モードの情報及び当該省電力動作モードへの設定の要求を送信する送信工程と、
他の表示装置から、省電力動作モードの情報及び当該省電力動作モードへの設定の要求を受信する受信工程と、
を有し、
前記設定工程は、自機と他の表示装置との省電力動作モードを同一にするとともに、前記送信工程により当該省電力動作モードの情報及び当該省電力動作モードへの設定の要求
を送信するか、又は、前記受信工程で前記省電力動作モードの情報及び当該省電力動作モードへの設定の要求を受信した場合、当該受信した省電力動作モードを自機に設定することを特徴とする表示装置の制御方法。
【請求項７】
前記設定工程は、前記表示装置の電池残量、ユーザによる省電力動作モードの設定、又は、ユーザによる表示装置に対する操作が無い時間である無操作時間のいずれかを設定要因として、当該設定要因に応じて複数の省電力動作モードを切り換える請求項６に記載の表示装置の制御方法。
【請求項８】
前記取得工程は、前記他の表示装置に設定されている省電力動作モードの設定要因の情報を取得し、
前記設定工程は、前記取得工程で取得した前記他の表示装置に設定されている省電力動作モード及び設定要因に基づいて、自機及び他の表示装置の省電力動作モードを設定する請求項６又は７に記載の表示装置の制御方法。
【請求項９】
前記受信工程は、他の表示装置から、前記送信工程で送信した省電力動作モードの設定を拒否することを示す情報を更に受信し、
前記受信工程で前記拒否することを示す情報を受信した場合、警告表示を行う請求項６〜８のいずれか１項に記載の表示装置の制御方法。
【請求項１０】
前記受信工程が前記拒否することを示す情報を受信した場合、前記設定工程は、前記送信工程で送信した前記省電力動作モードよりも消費電力が低い他の省電力動作モードを、自機及び他の表示装置の省電力動作モードとして再設定する請求項９に記載の表示装置の制御方法。
【発明の詳細な説明】
【技術分野】
【０００１】
本発明は、表示装置及びその制御方法に関するものである。
【背景技術】
【０００２】
表示パネルにタッチパネルを設け、映像表示及びタッチパネルを利用した操作入力を行える、可搬型ディスプレイが普及している。
この可搬型ディスプレイは、据え置き型ディスプレイと同様に、搭載する表示パネルの高精細化や表示画質の高画質化により表示能力が向上し、映像制作現場や医療現場等の業務用途において映像確認用として使用されるようになっている。
【０００３】
一方、この可搬型ディスプレイは電池駆動であり、長時間駆動を行う為に消費電力を抑えた省電力動作モードで動作可能なものがある。
省電力動作モードでは、例えば、一定期間ユーザの操作入力がない場合、中央演算装置（以下、ＣＰＵ）と不揮発性メモリ（以下、メモリ）以外への電源供給が停止される。
また電池残量を検出し、検出した電池残量に応じて表示パネルの輝度を制御することにより消費電力の低減を図る省電力動作モードや、検出した電池残量に応じて複数ある画像処理回路から画像処理に使用する画像処理回路を選択する省電力動作モードがある。
【０００４】
このように複数の省電力動作モードが存在する場合、効果的に消費電力の低減を図る為には、この複数の省電力動作モードを組み合わせて動作することが有効である。
上記のような複数の省電力動作モードを持つ可搬型ディスプレイを、例えば映像制作現場において映像確認のために用いる場合について以下に述べる。
映像制作現場において映像確認を行なう時、複数人が各々保有する可搬型ディスプレイに確認用画像を表示させ、複数人が同時に確認作業を行うことが考えられる。
【０００５】
この時、各可搬型ディスプレイは全て同じ表示画質であることが望ましいが、前述したように各可搬型ディスプレイにおいて省電力動作モードが違う場合があり、各可搬型ディスプレイにおいて表示画質が異なることがある。
そのため、各可搬型ディスプレイにおいて表示画質が同一になるよう、各可搬型ディスプレイの省電力動作モードを一致させることが課題となる。
【０００６】
特許文献１では、複数のディスプレイで構成される表示システムにおいて、ユーザにより輝度やコントラスト等の画質調整されたディスプレイが、ユーザが設定した画質調整値を他のディスプレイに対して送信する。画質調整値を受信した他のディスプレイは、受信した画質調整値を基に画質を自動調整する。
【０００７】
この技術を用いることにより、複数のディスプレイにおいて表示画質を同一にすることができる。
また特許文献２では、複数のディスプレイで構成される表示システムにおいて、制御部が各ディスプレイに輝度または色度の目標値を送信し、各ディスプレイが受信した目標値に従って輝度または色度の調整を行う。
この技術を用いることでも、複数のディスプレイにおいて表示画質を同一にすることができる。
【先行技術文献】
【特許文献】
【０００８】
【特許文献１】特開２００６−２７６１４４号公報
【特許文献２】特開２００８−１５１８３８号公報
【発明の概要】
【発明が解決しようとする課題】
【０００９】
しかし、前述した従来の技術では、各ディスプレイに設定される省電力動作モードの情報を取得し、取得した省電力動作モードの情報を基に、各ディスプレイにおいて表示画質が同一になるように省電力動作モードを設定する構成を持たない。そのため、各ディスプレイにおいて表示画質が同一になるように省電力動作モードを設定することができない。
【００１０】
そこで本発明では、設定する省電力動作モードによって表示画質が変わる可搬型ディスプレイにおいて、複数の可搬型ディスプレイの表示画質を同一にすることができる技術を提供することを目的とする。
【課題を解決するための手段】
【００１１】
本発明は、表示画質が各々異なる複数の省電力動作モードを切り換えることができる表示装置であって、
他の表示装置に設定されている省電力動作モードの情報を取得する取得部と、
前記取得部により取得した、前記他の表示装置に設定されている省電力動作モードに基づいて、自機及び他の表示装置の省電力動作モードを設定する設定部と、
他の表示装置に対し、前記設定部により設定された省電力動作モードの情報及び当該省電力動作モードへの設定の要求を送信する送信部と、
他の表示装置から、省電力動作モードの情報及び当該省電力動作モードへの設定の要求を受信する受信部と、
を備え、
前記設定部は、自機と他の表示装置との省電力動作モードを同一にするとともに、前記送信部により当該省電力動作モードの情報及び当該省電力動作モードへの設定の要求を送信するか、又は、前記受信部から前記省電力動作モードの情報及び当該省電力動作モードへの設定の要求を受信した場合、当該受信した省電力動作モードを自機に設定することを特徴とする表示装置である。
【００１２】
本発明は、表示画質が各々異なる複数の省電力動作モードを切り換えることができる表示装置の制御方法であって、
他の表示装置に設定されている省電力動作モードの情報を取得する取得工程と、
前記取得工程により取得した、前記他の表示装置に設定されている省電力動作モードに基づいて、自機及び他の表示装置の省電力動作モードを設定する設定工程と、
他の表示装置に対し、前記設定工程により設定された省電力動作モードの情報及び当該省電力動作モードへの設定の要求を送信する送信工程と、
他の表示装置から、省電力動作モードの情報及び当該省電力動作モードへの設定の要求を受信する受信工程と、
を有し、
前記設定工程は、自機と他の表示装置との省電力動作モードを同一にするとともに、前記送信工程により当該省電力動作モードの情報及び当該省電力動作モードへの設定の要求を送信するか、又は、前記受信工程で前記省電力動作モードの情報及び当該省電力動作モードへの設定の要求を受信した場合、当該受信した省電力動作モードを自機に設定することを特徴とする表示装置の制御方法である。
【発明の効果】
【００１３】
本発明によれば、設定する省電力動作モードによって表示画質が変わる可搬型ディスプレイにおいて、複数の可搬型ディスプレイの表示画質を同一にすることができる。
【図面の簡単な説明】
【００１４】
【図１】実施例１のシステム図
【図２】実施例１の可搬型ディスプレイの主要デバイスを説明する説明図。
【図３】実施例１のブロック図
【図４】実施例１の省電力動作モードのユーザ設定を行う操作パネルの表示例
【図５】実施例１の省電力動作モードの動作制限項目を説明する説明図
【図６】実施例１の省電力動作１を説明する説明図
【図７】実施例１の省電力動作２を説明する説明図
【図８】実施例１の省電力動作１の省電力動作モードの設定フローチャート
【図９】実施例１の省電力動作２の省電力動作モードの設定フローチャート
【図１０】実施例１の省電力動作モード管理部に蓄積される省電力動作モード情報
【図１１】実施例１の省電力動作モードを設定するマスタのフローチャート
【図１２】図１１の省電力動作モード調停Ａのフローチャート
【図１３】実施例１の警告の表示例
【図１４】図１１の省電力動作モード調停Ｂのフローチャート
【図１５】省電力動作モード設定の可否を問う操作パネルの表示例
【図１６】図１１の省電力動作モード調停Ｃのフローチャート
【図１７】実施例１の省電力動作モードを設定するスレーブのフローチャート
【図１８】実施例２のブロック図
【図１９】実施例２の省電力動作モードを設定するマスタのフローチャート
【図２０】図１９の共通省電力動作モード調停Ａのフローチャート
【図２１】図１９の共通省電力動作モード調停Ｂのフローチャート
【図２２】実施例２の警告表示の表示例
【図２３】図１９の共通省電力動作モード調停Ｃのフローチャート
【図２４】実施例２の省電力動作モードを設定するスレーブのフローチャート
【発明を実施するための形態】
【００１５】
以下に、本発明の好ましい実施例を添付の図面に基づいて詳細に説明する。
以下の実施例は、消費電力の低減を行う省電力動作モードを複数持ち、かつ設定する省電力動作モードにより表示画質が変わる複数の可搬型ディスプレイに関する。１台の可搬型ディスプレイはマスタとして動作するマスタ可搬型ディスプレイ（以下、マスタ）であり、その他の可搬型ディスプレイはスレーブとして動作するスレーブ可搬型ディスプレイ（以下、スレーブ）である。以下の実施例では、各可搬型ディスプレイの表示画質が同一になるように省電力動作モードの設定を行う方法について説明する。
【００１６】
（実施例１）
図１は、本発明の第一の実施例を説明するシステム図である。
【００１７】
マスタ１００は、スレーブ１０１からスレーブ１０１で設定されている省電力動作モードの情報である省電力動作モード情報を取得する。マスタ１００は、スレーブ１０１から取得した省電力動作モード情報を基に、各可搬型ディスプレイの表示画質を同一にする省電力動作モードを決定する。マスタ１００は、当該決定した省電力動作モードを自機の省電力動作モードとして設定をすると共に、スレーブ１０１に対して、当該決定した各可搬型ディスプレイの表示画質を同一にする省電力動作モードへの設定要求・依頼を送信する。
【００１８】
スレーブ１０１は、自機に対して設定している省電力動作モード情報を、マスタ１００に送信する。スレーブ１０１は、マスタ１００からの設定要求・依頼を受信して、各可搬型ディスプレイの表示画質が同一になる省電力動作モードへの設定を行う。
次に、本発明の第一の実施例における可搬型ディスプレイの主要デバイスについて説明
する。図２は、本発明の第一の実施例における可搬型ディスプレイの主要デバイスを説明する説明図である。なお、マスタ１００及びスレーブ１０１の主要デバイスの構成は同じである。
【００１９】
まず通信部２０１は、無線インターフェースであり、マスタ１００及びスレーブ１０１が双方向に通信を行う。なお通信部２０１は有線インターフェースでもよい。無線インターフェースや有線インターフェースの種類は特に限定されない。
メモリ２０２は、ＤＤＲ２−ＳＤＲＡＭ（Ｄｏｕｂｌｅ  Ｄａｔａ  Ｒａｔｅ２  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等の揮発性メモリである。
メモリ２０２は、ＣＰＵ２０３の処理に用いられるデータを一時的に記憶する。
ＣＰＵ２０３は、ストレージ２０５に蓄積されたプログラムを実行する。
画像処理部２０４は、表示部２０６で表示する画像データに対して画像処理を行う。詳細については後述する。
【００２０】
ストレージ２０５は、ＨＤＤ（Ｈａｒｄ  Ｄｉｓｃ  Ｄｒｉｖｅ）等の不揮発性メモリである。なお、ＨＤＤ以外の不揮発性メモリであっても本実施例を行える。
表示部２０６は、液晶表示装置である。
ディスプレイ出力部２０７は、表示部２０６に、画像処理部２０４で画像処理された画像データを表示させる。ディスプレイ出力部２０７の詳細については後述する。
さらにディスプレイ出力部２０７は、表示部２０６に起因する色・輝度ムラを補正する液晶ムラ補正を行う。液晶ムラ補正は公知の方法を用いることができるので本実施例では説明を省略する。
【００２１】
ＢＬ制御部２０８は、バックライト部２０９の輝度制御や点灯領域を制御するローカルディミング制御を行う。ＢＬ制御部２０８の詳細については後述する。
さらにＢＬ制御部２０８は、バックライト部２０９における光源に起因する輝度ムラを補正する輝度ムラ補正を行う。ローカルディミング制御及び輝度ムラ補正は公知の方法を用いることができるので本実施例では説明を省略する。
バックライト部２０９は、ＬＥＤ（Ｌｉｇｈｔ  Ｅｍｉｔｔｉｎｇ  Ｄｉｏｄｅ）を光源とするバックライトである。
【００２２】
ＵＩ２１０は、タッチパネル、各種スイッチ等のＵＩ（Ｕｓｅｒ  Ｉｎｔｅｒｆａｃｅ）である。
アンプ２１１は、音声信号を増幅する。
スピーカ２１２は、アンプ２１１で増幅された音声信号を出力する。
電源部２１３は、リチウムイオン二次電池等の二次電池を持ち、各デバイスへの電源供給を行う。なお、リチウムイオン二次電池以外の二次電池であってもよい。
【００２３】
図３は、本発明の第一の実施例を説明するブロック図である。
図３は、図１におけるマスタ１００及びスレーブ１０１の機能ブロック図を示す。
なお、図２における主要デバイスのうち、１つの機能ブロックとして動作するものについては、図３において図２と同じ符号を付し、詳細な説明を省略する。
【００２４】
まず、マスタ１００における機能ブロックについて説明をする。
省電力動作モード情報取得部３００は、スレーブ１０１に対し、省電力動作モード情報要求を送信するよう省電力動作モード情報要求送信部３０３に指示をする。
また省電力動作モード情報取得部３００は、通信部２０１を介して、スレーブ１０１の省電力動作モード情報を取得し、取得したスレーブ１０１の省電力動作モード情報を省電力動作モード設定部３０１へ出力する。
また省電力動作モード情報取得部３００は、取得したスレーブ１０１の省電力動作モード情報の内容によって、スレーブ１０１に対し起動要求を送信するよう起動要求送信部３０６に指示する。
さらに省電力動作モード情報取得部３００は、スレーブ１０１に対して、省電力動作モード情報要求を送信するよう、省電力動作モード情報要求送信部３０３に指示する。
【００２５】
省電力動作モード設定部３０１は、マスタ１００の省電力動作モードを、電池残量検出部３０９からの電池残量情報や操作パネル部３１０でのユーザ操作入力に応じた省電力動作モードに設定する。そして、設定した省電力動作モード情報を省電力動作モード情報管理部３０２へ出力する。
【００２６】
また省電力動作モード設定部３０１は、省電力動作モード情報取得部３００から取得したスレーブ１０１の省電力動作モード情報と、省電力動作モード管理部３０２に蓄積してある省電力動作モード情報を基に省電力動作モードを決定する。ここでは、各可搬型ディスプレイにおいて表示画質が同一になるためのマスタ１００及びスレーブ１０１の省電力動作モードが決定される。また省電力動作モード設定部３０１は、スレーブ１０１に対し、当該決定した省電力動作モードへの設定要求・依頼をするよう省電力動作モード設定要求・依頼送信部３０４へ指示する。また省電力動作モード設定部３０１は、前記決定した省電力動作モードへの設定要求・依頼に対するスレーブ１０１の承認・拒否の情報を省電力動作モード情報設定承認・拒否受信部３０５から受ける。そして設定承認を受けた場合、省電力動作モード設定部３０１は、前記決定した省電力動作モード情報を省電力動作モード管理部３０２へ出力する。設定拒否を受けた場合、省電力動作モード設定部３０１は、各可搬型ディスプレイにおいて表示画質が同一になるためのマスタ１００及びスレーブ１０１の省電力動作モードを再び決定する。そして、省電力動作モード設定要求・依頼送信部３０４へ再び設定要求・依頼を送信するよう指示する。
【００２７】
また省電力動作モード設定部３０１は、前記決定した省電力動作モード情報を省電力動作モード制御部３０８に出力し、前記決定した省電力動作モードに応じた制御を行わせる。
さらに省電力動作モード設定部３０１は、省電力動作モードの設定におけるユーザへの確認、警告、ユーザに設定を行わせるＧＵＩ（Ｇｒａｐｈｉｃａｌ  Ｕｓｅｒ  Ｉｎｔｅｒｆａｃｅ）の表示指示を、操作パネル部３１０へ行う。
省電力動作モード管理部３０２は、省電力動作モード設定部３０１で設定された省電力動作モード情報を蓄積する。
省電力動作モード情報要求送信部３０３は、省電力動作モード情報取得部３００の指示を受け、通信部２０１を介して、スレーブ１０１に対して省電力動作モード情報要求を送信する。
省電力動作モード設定要求・依頼送信部３０４は、通信部２０１を介して、省電力動作モード設定部３０１で設定された各可搬型ディスプレイで表示画質が同一になる省電力動作モードへの設定要求・依頼を送信する。
省電力動作モード設定承認・拒否受信部３０５は、通信部２０１を介して、スレーブ１０１からの省電力動作モードの設定承認・拒否情報を受信し、その結果を省電力動作モード設定部３０１へ出力する。
起動要求送信部３０６は、省電力動作モード情報取得部３００からの指示に応じて、通信部２０１を介して、スレーブ１０１に対して起動要求を送信する。
【００２８】
コンテンツ管理部３０７は、表示部２０６で表示を行うコンテンツデータ（画像データ等）を蓄積する。
コンテンツ管理部３０７は、コンテンツデータを、通信部２０１を介し、スレーブ１０１、または可搬型ディスプレイ以外の機器から受信し、ストレージ２０５へ蓄積する。
また、コンテンツ管理部３０７は、ストレージ２０５に蓄積されているコンテンツデータを、通信部２０１を介して、スレーブ１０１、または可搬型ディスプレイ以外の機器へ送信することもできる。
省電力動作モード制御部３０８は、省電力動作モード設定部３０１で設定された省電力動作モードの情報を取得し、取得した省電力動作モードの情報に応じて、ＢＬ制御部２０８と、画像処理部２０４、ディスプレイ出力部２０７の制御を行う。
【００２９】
画像処理部２０４は、コンテンツ管理部３０７からストレージ２０５に蓄積されているコンテンツデータを取得して、画像処理を行い、画像処理を行ったコンテンツデータをディスプレイ出力部２０７へ出力する。
画像処理部２０４は、コンテンツデータが静止画像データの場合、画像処理として、例えば、エンハンサ補正、クロマ補正、ガンマ補正、記憶色補正等を行う。動画像データの場合、画像処理部２０４は、画像処理として、黒挿入処理、ＦＲＣ処理、ダイナミックエンハンサ補正、ダイナミッククロマ補正、ダイナミックガンマ補正、記憶色補正、Ｉ／Ｐ変換等を行う。ここで、ＦＲＣはＦｒａｍｅ  Ｒａｔｅ  Ｃｏｎｖｅｒｔｅｒ、Ｉ／ＰはＩｎｔｅｒｌａｃｅ／Ｐｒｏｇｒｅｓｓｉｖｅを表す。各画像処理の詳細については公知の方法を用いることができるので本実施例では詳細な説明を省略する。
【００３０】
電池残量検出部３０９は、電源部２１３におけるリチウムイオン二次電池の電池残量を検出し、電池残量情報を出力する。
操作パネル部３１０は、ユーザの操作入力を促すＧＵＩを作成し、ディスプレイ出力部２０７に出力し、ディスプレイ出力部２０７を介して、表示部２０６に表示する。図４は表示部２０６に表示されるＧＵＩの例を示す。図４のＧＵＩは、省電力動作モードの設定をユーザに促す際に表示される。操作パネル部３１０は、ユーザからの操作入力を省電力動作モード設定部３０１へ出力する。
【００３１】
次に、スレーブ１０１における機能ブロックについて説明をする。なお、マスタ１００と同じ機能・動作を行う機能ブロックについては、同じ符号を付し、説明を省略する。
省電力動作モード情報要求受信部３１１は、通信部２０１を介して、マスタ１００からの省電力動作モード情報要求を受信する。
省電力動作モード情報送信部３１２は、省電力動作モード情報要求受信部３１１が受信した省電力動作モード情報要求を受け、省電力動作モード管理部３０２に蓄積されている省電力動作モード情報を、通信部２０１を介して、マスタ１００に送信する。
【００３２】
省電力動作モード設定要求・依頼受信部３１３は、通信部２０１を介して、各可搬型ディスプレイで表示画質が同一になる省電力動作モードへの設定要求・依頼をマスタ１００から受信し、省電力動作モード設定部３１６へ出力する。
省電力動作モード設定承認・拒否送信部３１４は、省電力動作モード設定要求・依頼受信部３１３が受信した設定要求・依頼に対する、設定承認または拒否の情報を、通信部２０１を介してマスタ１００に送信する。
【００３３】
起動要求受信部３１５は、通信部２０１を介して、マスタ１００からの起動要求を受信し、電源部２１３に主要デバイスへの電源供給を開始させる。
省電力動作モード設定部３１６は、省電力動作モード設定要求・依頼受信部３１３で受信した設定要求・依頼を受け、設定要求または依頼された省電力動作モードに対する設定承認または拒否の情報を省電力動作モード設定承認・拒否送信部３１４へ出力する。そして設定要求・依頼された省電力動作モードへの設定を承認した場合、省電力動作モード設定部３１６は、その省電力動作モードへの設定を行う。
【００３４】
次に、図１、図２、図３、図５、図６、図７、図８、図９、図１０を用いて本実施例に
おける省電力動作モードについて説明する。
＜省電力動作モードの動作制限項目＞
まず省電力動作モードにおける可搬型ディスプレイの消費電力を低減させる動作制限項目について図３、図５を用いて説明する。
動作制限項目５００は、可搬型ディスプレイの消費電力を低減させる動作制限項目を示している。
ムラ補正ＯＦＦ５０１は、ディスプレイ出力部２０７が行う液晶ムラ補正及びＢＬ制御部２０８が行う輝度ムラ補正を停止することを示す。このムラ補正ＯＦＦ５０１に対応する動作制限項目の識別子をＬ００１とする。
輝度低減５０２は、ＢＬ制御部２０８がバックライトの輝度を低減することを示す。この輝度低減５０２に対応する動作制限項目の識別子をＬ００２とする。
【００３５】
ローカルディミングＯＦＦ５０３は、ＢＬ制御部２０８が行うローカルディミング制御を停止することを示す。このローカルディミングＯＦＦ５０３に対応する動作制限項目の識別子をＬ００３とする。
画像処理ＯＦＦ５０４は、画像処理部２０４が行う画像処理を停止することを示す。画像処理ＯＦＦ５０４は、表示部２０６に表示するコンテンツデータが動画像か静止画像かによって動作制限項目が異なる。
【００３６】
以下に、画像処理ＯＦＦ５０４における動作制限項目について説明する。
表示部２０６に表示するコンテンツデータが動画像の場合、画像処理ＯＦＦ５０４は、黒挿入処理とＦＲＣを停止することを示す。この動作制限項目の識別子をＬ００４とする。
さら表示部２０６に表示するコンテンツデータが動画像の場合、画像処理ＯＦＦ５０４は、ダイナミックエンハンサ補正、ダイナミッククロマ補正、ダイナミックガンマ補正、記憶色補正、Ｉ／Ｐ変換を停止することを示す。この動作制限項目の識別子をＬ００５とする。
次に表示部２０６に表示するコンテンツデータが静止画像の場合、画像処理ＯＦＦ５０４は、エンハンサ補正、クロマ補正、ガンマ補正、記憶色補正を停止することを示す。この動画制限項目の識別子をＬ００６とする。
ＣＰＵ駆動周波数低減５０５は、ＣＰＵ２０３の駆動周波数を低減することを示す。このＣＰＵ駆動周波数低減５０５に対応する動作制限項目の識別子をＬ００７とする。
ＣＰＵ２０３、メモリ２０２、通信部２０１以外のデバイス電源ＯＦＦ５０６は、図２に示す可搬型ディスプレイ３００におけるＣＰＵ２０３と、メモリ２０２と、通信部２０１以外のデバイスの電源を停止することを示す。このＣＰＵ、メモリ、通信部以外のデバイス電源ＯＦＦ５０６に対応する動作制限項目の識別子をＬ００８とする。
【００３７】
状態設定をストレージに保存し、通信部２０１以外の各デバイス電源ＯＦＦ５０７は、メモリ内に記憶されている内容を、ストレージ２０５に保存し、図２に示す可搬型ディスプレイ３００における通信部２０１以外の各デバイスの電源を停止することを示す。この状態設定をストレージに保存し、各デバイス電源ＯＦＦ５０７に対応する動作制限項目の識別子をＬ００９とする。
【００３８】
次に省電力動作モードについて図６、図７を用いて説明する。
＜省電力動作モード１＞（図６）
省電力動作１（６００）は、本実施例の可搬型ディスプレイにおける複数の省電力動作モードであって、省電力動作モード毎に表示画質が変わる省電力動作モードを示す。
動作制限６０１は、各省電力動作モードにおいて適用する動作制限項目を示す。動作制限項目については図５を用いて上述した通りである。
設定要因６０２は、各省電力動作モードが設定される要因を示す。
電池残量６０３は、省電力動作モードの設定要因が電池残量であった場合、電池残量検出部３０９が出力した電池残量情報に応じて各省電力動作モードが設定されることを示す。
ユーザ設定６０４は、省電力動作モードの設定要因がユーザ設定であった場合、操作パネル部３１０でユーザが入力した設定に応じて任意に各省電力動作モードが設定されることを示す。
無操作時間６０５は、省電力動作モードの設定要因が無操作時間であった場合、無操作時間に応じて各省電力動作モードが設定されることを示す。
消費電力６０６は、各省電力動作モードの消費電力の大きさを示す。省電力動作１における消費電力は、標準（６０７）、低画質１（６０８）、低画質２（６０９）、低画質３（６１０）、低画質４（６１１）、低画質５（６１３）、スタンバイ（６１６）、休止状態（６１７）の順で小さくなることを示す。
【００３９】
次に、省電力動作１で示す各省電力動作モードについて説明する。
標準（６０７）は、電池残量が５１％以上、またはユーザが設定した場合に設定され、無操作時間を設定要因としては設定されないことを示す。また、標準（６０７）は、省電力動作モードが標準の場合、動作制限は行われないことを示す。
低画質１（６０８）は、電池残量が５０％以下、またはユーザが設定した場合に設定され、無操作時間を設定要因としては設定されないことを示す。また、低画質１（６０８）は、省電力動作モードが低画質１の場合、図５の動作制限項目の識別子Ｌ００１の動作制限が行われることを示す。
低画質２（６０９）は、電池残量４０％以下、またはユーザが設定した場合に設定され、無操作時間を設定要因としては設定されないことを示す。また、低画質２（６０９）は、省電力動作モードが低画質２の場合、図５の動作制限項目の識別子Ｌ００１とＬ００２の動作制限が行われることを示す。
低画質３（６１０）は、電池残量が３０％以下、またはユーザが設定した場合に設定され、無操作時間を設定要因としては設定されないことを示す。また、低画質３（６１０）は、省電力動作モードが低画質３の場合、図５の動作制限項目の識別子Ｌ００１、Ｌ００２、及びＬ００３の動作制限が行われることを示す。
【００４０】
低画質４（６１１）は、電池残量が２０％以下、またはユーザが設定した場合に設定され、無操作時間を設定要因としては設定されないことを示す。また、低画質４（６１１）は、省電力動作モードが低画質４の場合、図５の動作制限項目の識別子Ｌ００１、Ｌ００２、Ｌ００３、及びＬ００４の動作制限が行われることを示す。動画表示時（６１２）は、表示部２０６に表示されるコンテンツデータが動画像の場合のみ、低画質４の動作制限が行われることを示す。
低画質５（６１３）は、電池残量が１５％以下、またはユーザが設定した場合に設定され、無操作時間を設定要因としては設定されないことを示す。また、省電力動作モードが低画質５の場合、表示部２０６に表示されるコンテンツデータが動画像か静止画像かによって動作制限が異なる。
【００４１】
動画表示時（６１４）は、表示されるコンテンツデータが動画像の場合、図５の動作制限項目の識別子Ｌ００１，Ｌ００２，Ｌ００３，Ｌ００４，及びＬ００５の動作制限が行われることを示す。
静止画表示時（６１５）は、表示されるコンテンツデータが静止画像の場合、図５の動作制限項目の識別子Ｌ００１，Ｌ００２，Ｌ００３，Ｌ００４，及びＬ００６の動作制限が行われることを示す。
【００４２】
スタンバイ（６１６）は、無操作時間が２０ｓ（秒）以上になった場合に設定され、電池残量やユーザ設定を設定要因としては設定されないことを示す。また、スタンバイ（６
１６）は、省電力動作モードがスタンバイの場合、図５の動作制限項目の識別子Ｌ００８の動作制限が行われることを示す。
休止状態（６１７）は、電池残量が１０％以下、また無操作時間が３０ｓ以上になった場合に設定され、ユーザ設定を設定要因としては設定されないことを示す。また、休止状態（６１７）は、省電力動作モードが休止状態の場合、図５の動作制限の識別子Ｌ００９の動作制限が行われることを示す。
【００４３】
＜省電力動作モード２＞（図７）
図７の省電力動作２（７００）は、本実施例の可搬型ディスプレイにおける表示画質への影響が少ない複数の省電力動作モードを示す。
標準駆動周波数（７０１）は、電池残量が２１％以上、またユーザが設定した場合に設定され、無操作時間を設定要因としては設定されないことを示す。また、省電力動作モードが標準駆動周波数の場合、ＣＰＵ２０３の動作負荷によって動作制限が異なる。
【００４４】
ＣＰＵ負荷大（７０２）は、ＣＰＵの負荷が大きいときは動作制限が行われないことを示す。
ＣＰＵ負荷小（７０３）は、ＣＰＵの負荷が小さいときは、図５の動作制限項目の識別子Ｌ００７の動作制限が行なわれることを示す。
低駆動周波数（７０４）は、電池残量が２０％以下、またユーザが設定した場合に設定され、無操作時間を設定要因としては設定されないことを示す。また、低駆動周波数（７０４）は、省電力動作モードが低駆動周波数の場合、図５の動作制限項目の識別子Ｌ００７の動作制限が行われることを示す。
【００４５】
＜省電力動作１の省電力動作モードの設定動作＞（図８）
次に各可搬型ディスプレイの省電力動作モード設定部３０１（可搬型ディスプレイがマスタ１００の場合）による省電力動作１の省電力動作モードの設定動作について、図８を用いて説明する。なお、可搬型ディスプレイがスレーブ１０１の場合、以下の処理は省電力動作モード設定部３１６が行う。
【００４６】
まず、省電力動作モード設定部３０１は、電池残量検出部３０９から電池残量情報を取得する（Ｓ８００）。
次に、省電力動作モード設定部３０１は、操作パネル部３１０を介してユーザが操作入力により省電力動作モードを設定しているか（ユーザ設定があるか）を判断する（Ｓ８０１）。
ユーザ設定が無い場合（Ｓ８０１：Ｎｏ）、省電力動作モード設定部３０１は、電池残量検出部３０９より取得した電池残量情報から、電池残量が５０％以下であるか判断する（Ｓ８０２）。
【００４７】
電池残量が５０％より大きい場合（Ｓ８０２：Ｎｏ）、省電力動作モード設定部３０１は、省電力動作モードを標準に設定する（Ｓ８０３）。
電池残量が５０％以下である場合（Ｓ８０２：Ｙｅｓ）、省電力動作モード設定部３０１は、電池残量検出部３０９より取得した電池残量情報から、電池残量に応じた省電力動作モードを設定する。この場合、省電力動作モードの設定要因は電池残量とする（Ｓ８０４）。
【００４８】
Ｓ８０１でユーザ設定があると判断した場合（Ｓ８０１：Ｙｅｓ）、省電力動作モード設定部３０１は、電池残量検出部３０９より取得した電池残量情報から、電池残量が５０％以下であるか判断する（Ｓ８０５）。
【００４９】
電池残量が５０％より大きい場合（Ｓ８０５：Ｎｏ）、省電力動作モード設定部３０１
は、ユーザ設定に応じた省電力動作モードを設定する。この場合、省電力動作１の設定要因はユーザ設定１とする（Ｓ８０６）。ユーザ設定１の説明は後述する。
電池残量が５０％以下である場合（Ｓ８０５：Ｙｅｓ）、省電力動作モード設定部３０１は、電池残量検出部３０９が取得した電池残量情報を基に、電池残量に応じた省電力動作モードとユーザ設定による省電力動作モードの省電力効果を比較する（Ｓ８０７）。
【００５０】
電池残量に応じて設定される省電力動作モードの方が省電力効果大の場合（Ｓ８０７：Ｎｏ）、省電力動作モード設定部３０１は、Ｓ８０４の動作を行う。
ユーザ設定による省電力動作モードの方が省電力効果大の場合（Ｓ８０７：Ｙｅｓ）、省電力動作モード設定部３０１は、ユーザ設定による省電力動作モードを設定する。この場合、省電力動作１の設定要因はユーザ設定２とする（Ｓ８０８）。
【００５１】
ここで上述した省電力動作１における省電力動作モードの設定要因であるユーザ設定１及びユーザ設定２について説明する。ユーザ設定１及びユーザ設定２は共に、電池残量に応じた省電力動作モードよりも、省電力効果が高い省電力動作モードを、ユーザが設定したことを示す。
【００５２】
ユーザ設定１は、電池残量が５１％以上である場合、つまり電池残量に応じた省電力動作１の省電力動作モードが標準となる場合であるが、ユーザが標準以外のいずれかの省電力動作モードに設定したことを示す。
【００５３】
またユーザ設定２は、電池残量が５０％以下である場合、つまり電池残量に応じた省電力動作１の省電力動作モードが標準以外のいずれかとなる場合であるが、当該省電力動作モードよりも省電力効果が高い省電力動作モードをユーザが設定したことを示す。
【００５４】
次に、省電力動作モード設定部３０１は、Ｓ８０３、Ｓ８０４、Ｓ８０６、Ｓ８０８いずれかの動作の後、無操作入力時間が２０ｓ以上あるか判断する（Ｓ８０９）。
無操作入力時間が２０ｓより短い場合（Ｓ８０９：Ｎｏ）省電力動作モード設定部３０１は、Ｓ８０３、Ｓ８０４、Ｓ８０６、Ｓ８０８いずれかの処理により設定された省電力動作モード及び設定要因の情報を省電力動作モード管理部３０２に蓄積する（Ｓ８１３）。
無操作入力時間が２０ｓ以上の場合（Ｓ８０９：Ｙｅｓ）、省電力動作モード設定部３０１は、省電力動作モードをスタンバイに再設定する。この場合の設定要因は無操作入力とする（Ｓ８１０）。
【００５５】
次に、省電力動作モード設定部３０１は、無操作入力時間が３０ｓ以上あるか判断する（Ｓ８１１）。
無操作入力時間が３０ｓより短い場合（Ｓ８１１：Ｎｏ）、省電力動作モード設定部３０１は、Ｓ８１０で再設定された省電力動作モード、設定要因、及び電池残量の情報を省電力動作モード管理部３０２に蓄積する（Ｓ８１３）。
【００５６】
無操作入力時間が３０ｓ以上の場合（Ｓ８１１：Ｙｅｓ）、省電力動作モード設定部３０１は、省電力動作モードを休止状態に再設定する。この場合の設定要因も無操作入力とする（Ｓ８１２）。
そして、省電力動作モード設定部３０１は、Ｓ８１２で再設定された省電力動作モード、設定要因、及び電池残量の情報を省電力動作モード管理部３０２に蓄積する（Ｓ８１３）。
次に、省電力動作モード設定部３０１は、電池残量検出部３０９より取得した電池残量情報から、電池残量が１％かを判断する（Ｓ８１４）。
電池残量が１％より大きい場合（Ｓ８１４：Ｎｏ）、省電力動作モード設定部３０１は
、Ｓ８００からＳ８１４までの処理を繰り返す。
電池残量が１％である場合（Ｓ８１４：Ｙｅｓ）、省電力動作モード設定部３０１は、動作を終了する。
【００５７】
＜省電力動作２の省電力動作モードの設定動作＞（図９）
次に各可搬型ディスプレイの省電力動作モード設定部３０１（可搬型ディスプレイがマスタ１００の場合）による省電力動作２の省電力動作モードの設定動作について、図９を用いて説明する。なお、省電力動作１の省電力動作モードの設定動作と同様に、可搬型ディスプレイがスレーブ１０１の場合、以下の処理は省電力動作モード設定部３１６が行う。
【００５８】
まず、省電力動作モード設定部３０１は、電池残量検出部３０９から電池残量情報を取得する（Ｓ９０１）。
次に、省電力動作モード設定部３０１は、操作パネル部３１０を介してユーザが操作入力により省電力モードを設定しているか（ユーザ設定があるか）を判断する（Ｓ９０２）。
ユーザ設定が無い場合（Ｓ９０２：Ｎｏ）、省電力動作モード設定部３０１は、電池残量検出部３０９より取得した電池残量情報から電池残量が２０％以下であるか判断する（Ｓ９０３）。
電池残量が２０％より大きい場合（Ｓ９０３：Ｎｏ）、省電力動作モード設定部３０１は、省電力動作モードを標準駆動周波数に設定する（Ｓ９０４）。
電池残量が２０％以下である場合（Ｓ９０３：Ｙｅｓ）、省電力動作モード設定部３０１は、省電力動作モードを低駆動周波数に設定する。この場合、省電力動作２の設定要因を電池残量とする（Ｓ９０５）。
【００５９】
Ｓ９０２でユーザ設定があると判断した場合（Ｓ９０２：Ｙｅｓ）、省電力動作モード設定部３０１は、ユーザ設定に応じた省電力動作モード設定を行う。この場合、省電力動作２の設定要因をユーザ設定とする（Ｓ９０６）。
Ｓ９０４、Ｓ９０５、Ｓ９０６いずれかの処理の後、省電力動作モード設定部３０１は、Ｓ９０４、Ｓ９０５、Ｓ９０６いずれかの動作で設定した省電力動作２、設定要因、及び電池残量の情報を省電力動作モード管理部３０２に蓄積する（Ｓ９０７）。
【００６０】
次に、省電力動作モード設定部３０１は、電池残量検出部３０９より取得した電池残量情報から、電池残量が１％かを判断する（Ｓ９０８）。
電池残量が１％より大きい場合（Ｓ９０８：Ｎｏ）、省電力動作モード設定部３０１は、Ｓ９０１からＳ９０８までの処理を繰り返す。
電池残量が１％である場合（Ｓ９０８：Ｙｅｓ）、省電力動作モード設定部３０１は、動作を終了する。
以上が、省電力動作モード設定部３０１の省電力動作２における省電力動作モードの設定動作である。
【００６１】
図１０は、設定された省電力動作１及び省電力動作２の省電力動作モード、設定要因、及び電池残量の情報を含む省電力動作モード情報を例示したものである。
前述した省電力動作モード設定部３０１、３１６による省電力動作１及び省電力動作２の省電力動作モードの設定動作により、省電力動作モード管理部３０２には、図１０で示すような省電力動作モード情報が蓄積される。また省電力動作モード設定部３０１、３１６による省電力動作１及び省電力動作２の省電力動作モードの設定動作は、省電力動作モード設定部３０１、３１６において並列処理される。
以上が、省電力動作モードについての説明である。
【００６２】
次に前述した省電力動作モードを踏まえ、複数の可搬型ディスプレイにおいて表示画質を同一にする省電力動作モードの設定方法について説明する。
【００６３】
本実施例では、設定により表示画質が変わる省電力動作１における省電力動作モードの設定を各可搬型ディスプレイで一致させることにより複数の可搬型ディスプレイにおける表示画質を同一にする。
＜マスタ、スレーブの設定方法＞
まず、図３を用いて表示画質を同一にする複数の可搬型ディスプレイをマスタ１００又はスレーブ１０１へ設定する方法について説明する。本実施例では、複数の可搬型ディスプレイのうちの１つがマスタ１００となり、その他がスレーブ１０１となる。
【００６４】
任意のユーザが、使用している可搬型ディスプレイにおいて、複数の可搬型ディスプレイにおける表示画質を同一にするための設定画面を表示させる指示を、操作パネル部３１０を介した操作により、可搬型ディスプレイに入力する。かかるユーザ操作が行なわれたことを受けて、操作パネル部３１０は、表示部２０６に当該設定画面を表示させる。なお、ユーザが、この設定画面の表示指示を、可搬型ディスプレイに備わるボタンやスイッチ等のＵＩを操作することによって、可搬型ディスプレイに入力することができる構成でも良い。また、複数の可搬型ディスプレイにおける表示画質を同一にするための設定を行なうアプリケーションが可搬型ディスプレイにインストールされている構成でも良い。この場合、ユーザは、このアプリケーションの実行の指示を、操作パネル部３１０を介した操作により、可搬型ディスプレイに入力することにより、複数の可搬型ディスプレイにおける表示画質を同一にするための設定画面を表示させることができる。
【００６５】
この設定画面を表示する可搬型ディスプレイがマスタ１００となり、それ以外の可搬型ディスプレイがスレーブ１０１となる。すなわち、あるユーザが複数の可搬型ディスプレイにおける表示画質を同一にするための設定画面を表示させる操作を行なった可搬型ディスプレイがマスタ１００として動作し、それ以外の可搬型ディスプレイがスレーブ１０１として動作する。
【００６６】
＜マスタにおける表示画質を同一にする省電力動作モードの設定動作＞（図１１）
次にマスタ１００における表示画質を同一にする省電力動作モードの設定動作について、図３、図１１を用いて説明する。
【００６７】
はじめに省電力動作モード情報要求送信部３０３が、通信部２０１を介して、スレーブ１０１に対し省電力動作モード情報要求を送信する（Ｓ１１００）。
次に省電力動作モード情報取得部３００が、通信部２０１を介して、スレーブ１０１の省電力動作モード情報を取得する（Ｓ１１０１）。
次に省電力動作モード設定部３０１は、省電力動作モード情報取得部３００が取得したスレーブ１０１の省電力動作モード情報とマスタ１００の省電力動作モード情報の比較を行う（Ｓ１１０２）。
次に省電力動作モード設定部３０１は、マスタ１００及びスレーブ１０１のどちらか一方の省電力動作１における省電力動作モードにスタンバイまたは休止状態があるかを判断する（Ｓ１１０３）。
【００６８】
マスタ１００及びスレーブ１０１の省電力動作１における省電力動作モードにスタンバイまたは休止状態がある場合（Ｓ１１０３：Ｙｅｓ）、省電力動作モード設定部３０１は、Ｓ１１０４に進む。Ｓ１１０４では、省電力動作モード設定部３０１は、Ｓ１１０３における判断で省電力動作モードが休止状態の場合で当該休止状態の設定要因が電池残量であるかを判断する。
【００６９】
休止状態の設定要因が電池残量である場合（Ｓ１１０４：Ｙｅｓ）、省電力動作モード設定部３０１は、表示部２０６に電池残量が無いことを示す警告表示を行う（Ｓ１１０５）。そして省電力動作モード設定部３０１は、動作を終了する。
【００７０】
Ｓ１１０３における判断で省電力動作モードがスタンバイの場合及びＳ１１０３における判断で省電力動作モードが休止状態の場合で当該休止状態の設定要因が電池残量でない場合（Ｓ１１０４：Ｎｏ）、省電力動作モード設定部３０１は、Ｓ１１０６に進む。Ｓ１１０３における判断で省電力動作モードが休止状態の場合で当該休止状態の設定要因が電池残量でない場合とは、つまり当該休止状態の設定要因が無操作時間である場合である。この場合、起動要求送信部３０６が、通信部２０１を介してスタンバイまたは休止状態のスレーブ１０１に起動要求を送信する（Ｓ１１０６）。
【００７１】
そして省電力動作モード情報要求送信部３０３が、通信部２０１を介して、スタンバイまたは休止状態であったスレーブ１０１に対し省電力動作モード情報再要求を送信し、Ｓ１１０１の処理に戻る（Ｓ１１０７）。
【００７２】
Ｓ１１０３の動作で、マスタ１００及びスレーブ１０１の省電力動作１における省電力動作モードがスタンバイまたは休止状態でない場合（Ｓ１１０３：Ｎｏ）、省電力動作モード設定部３０１は、Ｓ１１０８の処理を行なう。Ｓ１１０８では、省電力動作モード設定部３０１は、マスタ１００及びスレーブ１０１の省電力動作１の省電力動作モードに標準以外があるかを判断する（Ｓ１１０８）。
【００７３】
マスタ１００及びスレーブ１０１の省電力動作１における省電力動作モードがともに標準である場合、省電力動作モード設定部３０１は、省電力動作モードの設定動作を終了する。そしてコンテンツデータの再生（表示部２０６への出力及び表示）を行う。
【００７４】
マスタ１００及びスレーブ１０１のどちらか一方の省電力動作１の省電力動作モードが標準でない場合、省電力動作モード設定部３０１は、マスタ１００の省電力動作１の省電力動作モードが標準であるか判断する（Ｓ１１０９）。
【００７５】
マスタ１００の省電力動作１における省電力動作モードが標準である場合（Ｓ１１０９：Ｙｅｓ）、省電力動作モード設定部３０１は、省電力動作モード調停Ａを行う（Ｓ１１１０）。省電力動作モード調停Ａの詳細は後述する。
【００７６】
これで省電力動作モードの設定動作が終了する。そして省電力動作モード設定部３０１は、コンテンツデータの再生を行う。
マスタ１００の省電力動作１における省電力動作モードが標準でない場合（Ｓ１１０９：Ｎｏ）、省電力動作モード設定部３０１は、スレーブ１０１の省電力動作１における省電力動作モードが標準であるか判断する（Ｓ１１１１）。
スレーブ１０１の省電力動作１における省電力動作モードが標準である場合（Ｓ１１１１：Ｙｅｓ）、省電力動作モード設定部３０１は、省電力動作モード調停Ｂを行う（Ｓ１１１２）。省電力動作モード調停Ｂの詳細は後述する。これで省電力動作モード設定部３０１は、省電力動作モードの設定動作を終了する。そして省電力動作モード設定部３０１は、コンテンツデータの再生を行う。
【００７７】
Ｓ１１１１において、スレーブ１０１の省電力動作１における省電力動作モードが標準でない場合（Ｓ１１１１：Ｎｏ）、省電力動作モード設定部３０１は、省電力動作モード調停Ｃを行う（Ｓ１１１３）。省電力動作モード調停Ｃの詳細は後述する。
これで省電力動作モード設定部３０１は、省電力動作モードの設定動作を終了する。そして省電力動作モード設定部３０１は、コンテンツデータの再生を行う。
【００７８】
＜省電力動作モード調停Ａ＞（図１２）
次に、省電力動作モード調停Ａの処理について図３、図１２、図１３を用いて説明する。
まず省電力動作モード設定要求・依頼送信部３０４が、通信部２０１を介して、スレーブ１０１に対して省電力動作モードを標準に設定するよう設定依頼を送信する（Ｓ１２００）。
そして省電力動作モード設定承認・拒否受信部３０５が、通信部２０１を介して、スレーブ１０１から省電力動作モード設定承認・拒否情報を受信し、スレーブ１０１が承認したかを判断する（Ｓ１２０１）。
【００７９】
スレーブ１０１が設定を承認した場合（Ｓ１２０１：Ｙｅｓ）、省電力動作モード設定部３０１は、スレーブ１０１が承認した省電力動作モードをマスタ１００の省電力動作モードとして設定する（Ｓ１２０６）。以上により、省電力動作モード調停Ａの処理が終了する。
スレーブ１０１が設定を拒否した場合（Ｓ１２０１：Ｎｏ）、省電力動作モード設定部３０１は、図１３に示すような、スレーブ１０１が省電力動作モードを標準に設定することを拒否したことを通知する画面を表示部２０６に表示する（Ｓ１２０２）。
【００８０】
次に、省電力動作モード設定部３０１は、スレーブ１０１に設定依頼する省電力動作モードを、省電力効果が一段高い、つまり消費電力が低い省電力動作モードに再設定する（Ｓ１２０３）。
そして、省電力動作モード設定要求・依頼送信部３０４が、通信部２０１を介して、スレーブ１０１に対して再設定した省電力動作モードに設定するよう設定依頼を送信する（Ｓ１２０４）。
次に、Ｓ１２０１の動作と同様に、省電力動作モード設定承認・拒否受信部３０５が、通信部２０１を介して、スレーブ１０１から省電力動作モード設定承認・拒否情報を受信し、スレーブ１０１が承認したかを判断する（Ｓ１２０５）。
【００８１】
スレーブ１０１が設定を承認した場合（Ｓ１２０５：Ｙｅｓ）、省電力動作モード設定部３０１は、スレーブ１０１が承認した省電力動作モードをマスタ１００の省電力動作モードとして設定する（Ｓ１２０６）。以上により、省電力動作モード調停Ａの処理が終了する。
スレーブ１０１が設定を拒否した場合（Ｓ１２０５：Ｎｏ）、省電力動作モード設定部３０１は、Ｓ１２０２の処理へ戻る。スレーブ１０１が設定を承認するまで上記の処理が繰り返される。
以上が、省電力動作モード調停Ａについての説明である。
【００８２】
＜省電力動作モード調停Ｂ＞（図１４）
次に、省電力動作モード調停Ｂについて、図３、図１４を用いて説明する。
まず省電力動作モード設定部３０１の指示により、操作パネル部３１０が、表示部２０６に、図１５で示すような、省電力動作モードを現在の設定から標準に変更するかユーザに選択させる画面を表示させる（Ｓ１４００）。ユーザは、操作パネル部３１０を介して、省電力モードを現在の設定から標準に変更するか否かの指示を可搬型ディスプレイに入力するための操作を行なう。
【００８３】
そして省電力動作モード設定部３０１は、ユーザが入力した指示が、省電力動作モードの標準への変更を行なうことか否か判断する（Ｓ１４０１）。
ユーザが入力した指示が省電力モードの標準への変更を行なうことであった場合（Ｓ１４０１：Ｙｅｓ）、省電力動作モード設定部３０１は、省電力動作モードを標準を設定し
（Ｓ１４０５）、調停を終了する。
ユーザが入力した指示が省電力モードの標準への変更を行なわないことであった場合（Ｓ１４０１：Ｎｏ）、省電力動作モード設定部３０１は省電力動作モードを省電力効果が一段高い、つまり消費電力が低い省電力動作モードについて再判定をする（Ｓ１４０２）。すなわち、省電力動作モード設定部３０１は、Ｓ１４００と同様に、操作パネル部３１０に指示して、表示部２０６に、図１５と同様の、省電力動作モードを現在の設定から当該省電力効果が一段高い省電力動作モードへの変更可否をユーザに問う画面を表示させる。
そして、省電力動作モード設定部３０１は、Ｓ１４０１の動作と同様に、ユーザが、再判定の対象である省電力効果が一段高い省電力動作モードへの設定を承認するか判断する（Ｓ１４０３）。
【００８４】
ユーザが設定を拒否した場合（Ｓ１４０３：Ｎｏ）、省電力動作モード設定部３０１は、Ｓ１４０２の動作へ戻り、ユーザが承認するまで上記の処理を繰り返す。
ユーザが設定を承認した場合（Ｓ１４０３：Ｙｅｓ）、省電力動作モード設定要求・依頼送信部３０４が、通信部２０１を介して、スレーブ１０１に対し、当該承認された省電力動作モードへの設定要求を送信する（Ｓ１４０４）。
これにより、省電力動作モード調停Ｂの処理が終了する。
【００８５】
＜省電力動作モード調停Ｃ＞（図１６）
次に、省電力動作モード調停Ｃについて、図３、図１６を用いて説明する。
まず省電力動作モード設定要求・依頼送信部３０４が、通信部２０１を介して、スレーブ１０１に対し省電力動作モードを標準に設定するよう設定依頼を送信する。
【００８６】
また操作パネル部３１０が、表示部２０６に図１５で例示する内容を表示させ、ユーザに対して省電力動作モードを標準に設定するかを問う（Ｓ１６００）。
次に、省電力動作モード設定部３０１は、マスタ１００及びスレーブ１０１が共に省電力動作モードを標準に設定すること承諾したかを判断する（Ｓ１６０１）。
マスタ１００及びスレーブ１０１が共に承認した場合（Ｓ１６０１：Ｙｅｓ）、省電力動作モード調停Ｃの処理は終了する。
マスタ１００及びスレーブ１０１の少なくともどちらか一方が拒否した場合（Ｓ１６０１：Ｎｏ）、省電力動作モード設定部３０１は、省電力動作モードを省電力効果が一段高い、つまり消費電力が低い省電力動作モードについて再判定する（Ｓ１６０２）。
【００８７】
次に、Ｓ１６００の動作と同様に、省電力動作モード設定要求・依頼送信部３０４が、通信部２０１を介して、スレーブ１０１に対し再判定した省電力動作モードに設定するよう設定依頼を送信する（Ｓ１６０３）。
また操作パネル部３１０が、表示部２０６に図１５で例示する内容を表示させ、ユーザに対して再判定した省電力動作モードに設定するかを問う（Ｓ１６０３）。
【００８８】
次に、省電力動作モード設定部３０１は、Ｓ１６０１の動作と同様に、マスタ１００及びスレーブ１０１が、前記再判定した省電力動作モードに設定することを、共に承認したかを判断する（Ｓ１６０４）。
マスタ１００及びスレーブ１０１が共に承認した場合（Ｓ１６０４：Ｙｅｓ）、省電力動作モード調停Ｃの処理は終了する。
マスタ１００及びスレーブ１０１の少なくともどちらか一方が拒否した場合（Ｓ１６０４：Ｎｏ）、省電力動作モード設定部３０１は、Ｓ１６０２の動作に戻り、マスタ１００及びスレーブ１０１が共に承認するまで上記の処理を繰り返す。
【００８９】
＜スレーブ１０１における表示画質を同一にする省電力動作モードの設定動作＞（図１
７）
次にスレーブ１０１における表示画質を同一にする省電力動作モードの設定動作について、図３、図１５、図１７を用いて説明する。
まず、省電力動作モード情報要求受信部３１１が、通信部２０１を介して、マスタ１００からの省電力動作モード情報要求を受信する（Ｓ１７００）。
次に省電力動作モード情報送信部３１２が、省電力動作モード情報要求受信部３１１がマスタ１００から受けた省電力動作モード情報要求に応じて、通信部２０１を介して、マスタ１００へ省電力動作モード情報を送信する（Ｓ１７０１）。
【００９０】
次に、省電力動作モード設定要求・依頼受信部３１３が、通信部２０１を介して、マスタ１００から省電力動作モードの設定要求を受信したか判断する（Ｓ１７０２）。
設定要求を受信した場合（Ｓ１７０２：Ｙｅｓ）、省電力動作モード設定部３１６は、マスタ１００が要求した省電動作モードへの設定を行う（Ｓ１７０３）。
これで省電力動作モードの設定動作が終了する。そして省電力動作モード設定部３１６は、コンテンツデータの再生を行う。
【００９１】
設定要求を受信しない場合（Ｓ１７０２：Ｎｏ）、省電力動作モード設定要求・依頼受信部３１３が、通信部２０１を介して、マスタ１００から省電力動作モードの設定依頼を受信したか判断する（Ｓ１７０４）。
設定依頼を受信しない場合（Ｓ１７０４：Ｙｅｓ）、省電力動作モードの設定動作が終了する。そして省電力動作モード設定部３１６は、コンテンツデータの再生を行う。
設定依頼を受信した場合（Ｓ１７０４：Ｎｏ）、操作パネル部３１０が表示部２０６に図１５に例示した内容を表示し、省電力動作モード設定部３１６は、ユーザが省電力動作モードへの設定を承認したか判断する（Ｓ１７０５）。
【００９２】
ユーザが省電力動作モードへの設定を承認した場合（Ｓ１７０５：Ｙｅｓ）、省電力動作モード設定承認・拒否送信部３１４が、通信部２０１を介して、マスタ１００に対して設定承認の情報を送信する（Ｓ１７０６）。
次に、省電力動作モード設定部３１６が、省電力動作モードへの設定を行う（Ｓ１７０７）。
これで省電力動作モードの設定動作が終了する。そして省電力動作モード設定部３１６は、コンテンツデータの再生を行う。
【００９３】
Ｓ１７０５において、ユーザが省電力動作モードへの設定を拒否した場合（Ｓ１７０５：Ｎｏ）、省電力動作モード設定承認・拒否送信部３１４が、通信部２０１を介して、マスタ１００に対し設定拒否の情報を送信する（Ｓ１７０８）。
次に省電力動作モード設定要求・依頼受信部３１３が、通信部２０１を介して、マスタ１００からの設定依頼を再受信したか判断する（Ｓ１７０９）。
マスタ１００からの設定依頼を再受信しない場合（Ｓ１７０９：Ｎｏ）、省電力動作モード設定要求・依頼受信部３１３が再受信するまでＳ１７０９の処理が繰り返される。
【００９４】
マスタ１００からの設定依頼を再受信した場合（Ｓ１７０９：Ｙｅｓ）、操作パネル部３１０が表示部２０６に図１５に例示した内容を表示し、省電力動作モード設定部３１６は、ユーザが再受信した省電力動作モードへの設定を承認したか判断する（Ｓ１７１０）。
ユーザが再受信した省電力動作モードへの設定を承認した場合（Ｓ１７１０：Ｙｅｓ）、省電力動作モード設定部３１６は、Ｓ１７１１、Ｓ１７１２の処理に進む。ここで、Ｓ１７１１、Ｓ１７１２の処理は、Ｓ１７０６、Ｓ１７０７の処理と同様である為、説明を省略する。
ユーザが再受信した省電力動作モードへの設定を拒否した場合（Ｓ１７１０：Ｎｏ）、
省電力動作モード設定承認・拒否送信部３１４が、通信部２０１介して、マスタ１００に対して設定拒否の情報を送信し、Ｓ１７０９に戻る（Ｓ１７１３）
以上の処理が、マスタ１００から依頼された省電力動作モードをユーザが承認するまで繰り返される。
【００９５】
なお、本実施例における可搬型ディスプレイは、マスタ１００及びスレーブ１０１の機能ブロックをそれぞれ持つ。つまり、本実施例における可搬型ディスプレイは、マスタ１００としてもスレーブ１０１としても動作することができる。
本実施例によれば、マスタ１００の省電力動作モード設定部３０１が、スレーブ１０１における省電力動作モード情報とマスタ１００の省電力動作モード情報とを基に、マスタ１００及びスレーブ１０１の省電力動作モードを同一の設定することができる。これにより、マスタ１００及びスレーブ１０１の表示画質を同一にすることができる。
【００９６】
（実施例２）
次に本発明の第二の実施例について説明する。
図１８は、本発明の第二の実施例を説明するブロック図である。
なお、図１８において第一の実施例と同様の機能・動作を行う機能ブロックについては同一符号を付し、説明を省略する。
【００９７】
第一の実施例では、複数の可搬型ディスプレイでそれぞれ設定されている省電力動作モードの設定要因に関わらず、複数の可搬型ディスプレイにおいて表示画質が同一になる省電力動作モードを設定した。
これに対し、本実施例は複数の可搬型ディスプレイでそれぞれ設定されている省電力動作モードの設定要因に基づいて、複数の可搬型ディスプレイにおいて表示画質が同一になる省電力動作モードを設定する。
具体的には、本実施例の可搬型ディスプレイは、省電力動作モードの設定要因に電池残量がある場合、消費電力の低減を図りつつ、複数の可搬型ディスプレイにおける表示画質を同一にする省電力動作モードを設定する。
【００９８】
また、本実施例の可搬型ディスプレイは、省電力動作モードの設定要因にユーザ設定がある場合、そのユーザ設定（ユーザの意向）を考慮しつつ、複数の可搬型ディスプレイにおける表示画質を同一にする省電力動作モードを設定する。
【００９９】
図１８は、本実施例におけるマスタ１８００及びスレーブ１０１のブロック図である。
マスタ１８００の省電力動作モード設定部１８０１は、省電力動作モード情報取得部３００で取得した省電力動作モード情報と省電力動作モード管理部３０２に蓄積してある省電力動作モード情報に含まれる設定要因に基づいて省電力動作モードの設定を行う。ここでは、表示画質が同一になるよう各可搬型ディスプレイにおける省電力動作モードの設定を行う。
なお、本実施例における可搬型ディスプレイの省電力動作モードは、第一の実施例と同様である為、説明を省略する。
次に、複数の可搬型ディスプレイでそれぞれ設定されている省電力動作モードの設定要因に基づいて、複数の可搬型ディスプレイにおいて表示画質が同一になる省電力動作モードを設定する方法について説明する。
本実施例では、第一の実施例と同様に、表示画質が変わる省電力動作１における省電力動作モードの設定を複数の可搬型ディスプレイで一致させることにより、複数の可搬型ディスプレイの表示画質を同一になるようにする。
【０１００】
＜省電力動作モードの設定動作＞（図１９）
まず、マスタ１８００における省電力動作モード設定部１８０１の、複数の可搬型ディ
スプレイでそれぞれ設定されている省電力動作モードの設定要因に基づいた、省電力動作モードの設定動作について図１８、図１９を用いて説明する。
Ｓ１９００からＳ１９０７までの動作は、図１１に示すＳ１１００からＳ１１０７と同様である為、説明を省略する。
【０１０１】
Ｓ１９０３において、マスタ１８００及びスレーブ１０１の省電力動作１における省電力動作モードにスタンバイも休止状態もない場合（Ｓ１９０３：Ｎｏ）、省電力動作モード設定部１８０１は、Ｓ１９０８に進む。Ｓ１９０８において、省電力動作モード設定部１８０１は、マスタ１８００及びスレーブ１０１いずれかの省電力動作モードの設定要因に電池残量があるか判断する。
【０１０２】
マスタ１８００及びスレーブ１０１いずれかの省電力動作モードの設定要因に電池残量がある場合（Ｓ１９０８：Ｙｅｓ）、省電力動作モード設定部１８０１は、共通省電力動作モード調停Ａを行う（Ｓ１９０９）。なお、共通省電力動作モード調停Ａの動作については後述する。
【０１０３】
これで省電力動作モードの設定処理が終了する。そして省電力動作モード設定部１８０１は、コンテンツデータの再生を行う。
Ｓ１９０８において、マスタ１８００及びスレーブ１０１いずれの省電力動作モードの設定要因にも電池残量が無い場合（Ｓ１９０８：Ｎｏ）、省電力動作モード設定部１８０１は、Ｓ１９１０に進む。Ｓ１９１０において、省電力動作モード設定部１８０１は、マスタ１８００及びスレーブ１０１いずれかの省電力動作モードの設定要因にユーザ設定があるかを判断する。
【０１０４】
マスタ１８００及びスレーブ１０１のいずれの省電力動作モードの設定要因にもユーザ設定が無い場合（Ｓ１９１０：Ｎｏ）、つまりマスタ１８００及びスレーブ１０１の省電力動作１における省電力動作モードの設定が標準である場合、処理は終了する。そして省電力動作モード設定部１８０１は、コンテンツデータの再生を行う。
マスタ１８００及びスレーブ１０１いずれかの省電力動作モードの設定要因にユーザ設定がある場合（Ｓ１９１０：Ｙｅｓ）省電力動作モード設定部１８０１はマスタ１８００及びスレーブ１０１いずれかの設定要因がユーザ設定２であるか判断する（Ｓ１９１１）。
マスタ１８００及びスレーブ１０１いずれかの省電力動作モードの設定要因がユーザ設定２である場合（Ｓ１９１１：Ｙｅｓ）、省電力動作モード設定部１８０１は、省電力動作モード調停Ｂを行う（Ｓ１９１２）。なお、省電力動作モード調停Ｂの動作は後述する。
【０１０５】
これで省電力動作モードの設定動作が終了する。そして省電力動作モード設定部１８０１は、コンテンツデータの再生を行う。
マスタ１８００及びスレーブ１０１いずれかの省電力動作モードの設定要因がユーザ設定２でない、つまりユーザ設定１である場合（Ｓ１９１１：Ｎｏ）、省電力動作モード設定部１８０１は、省電力動作モード調停Ｃを行う（Ｓ１９１３）。なお、省電力動作モード調停Ｃの動作は後述する。
これで省電力動作モードの設定動作が終了する。そして省電力動作モード設定部１８０１は、コンテンツデータの再生を行う。
【０１０６】
＜省電力動作モード調停Ａ＞（図２０）
次に省電力動作モード調停Ａの動作について、図１８、図２０を用いて説明する。
まず、省電力動作モード設定部１８０１が、省電力動作モード情報取得部３００で取得したスレーブ１０１の省電力動作モード情報とマスタ１８００の省電力動作モード情報か
ら、電池残量が最も少ない可搬型ディスプレイを特定する。ここで、特定した電池残量が最も少ない可搬型ディスプレイをターゲットＡとする。省電力動作モード設定部１８０１は、このターゲットＡの電池残量に応じた省電力動作１の省電力動作モードを共通省電力動作モードと設定する（Ｓ２００１）。
【０１０７】
次に、省電力動作モード設定部１８０１は、ターゲットＡがマスタ１８００であるか判断する（Ｓ２００２）。
ターゲットＡがマスタ１８００である場合（Ｓ２００２：Ｙｅｓ）、省電力動作設定要求・依頼送信部２０７が、通信部２０１を介して、スレーブ１０１に対し共通省電力動作モードの設定要求を送信する（Ｓ２００３）。
これで省電力動作モード調停Ａの処理が終了する。
ターゲットＡがスレーブ１０１である場合（Ｓ２００２：Ｎｏ）、省電力動作モード設定部１８０１が共通省電力動作モードを設定する（Ｓ２００４）。
これで省電力動作モード調停Ａの処理が終了する。
以上が、省電力動作モード調停Ａにおける動作の説明である。
【０１０８】
＜省電力動作モード調停Ｂ＞（図２１）
次に、省電力動作モード調停Ｂの動作について、図１５、図１８、図２１、図２２を用いて説明する。
まず、省電力動作モード設定部１８０１が、省電力動作モード情報取得部３００で取得したスレーブ１０１の省電力動作モード情報とマスタ１８００の省電力動作モード情報から、電池残量が最も少ない可搬型ディスプレイを特定する（Ｓ２１０１）。ここで、特定した電池残量が最も少ない可搬型ディスプレイをターゲットＢとする。
省電力動作モード設定部１８０１は、このターゲットＢの電池残量に応じた省電力動作１の省電力動作モードを共通省電力動作モードと設定する（Ｓ２１０１）。
次に、省電力動作モード設定部１８０１は、ターゲットＢがマスタ１８００であるか判断する（Ｓ２１０２）。
【０１０９】
ターゲットＢがマスタ１８００である場合（Ｓ２１０２：Ｙｅｓ）、操作パネル部３１０が表示部２０６に図１５に例示する内容を表示し、省電力動作モード設定部１８０１は、ユーザが共通省電力動作モードへの設定を承認したか判断する（Ｓ２１０３）。
ユーザが共通省電力動作モードへの設定を承認した場合（Ｓ２１０３：Ｙｅｓ）、省電力動作モード設定要求・依頼送信部３０４が、通信部２０１を介して、スレーブ１０１に対し共通省電力動作モードへの設定要求を送信する（Ｓ２１０４）。
次に省電力動作モード設定部１８０１が、共通省電力動作モードへの設定を行う（Ｓ２１０５）。
これで調停が終了する。
【０１１０】
Ｓ２１０３において、ユーザが共通省電力動作モードへの設定を拒否した場合（Ｓ２１０３：Ｎｏ）、省電力動作モード設定部１８０１は、共通省電力動作モードを省電力効果が一段高い省電力動作モードに変更する（Ｓ２１０６）。
【０１１１】
例えば、共通省電力動作モードの最初の設定が低画質１であった場合、省電力動作モード設定部１８０１は、省電力効果が一段高い低画質２を共通省電力動作モードとして再設定（変更）する。
次に、省電力動作モード設定部１８０１は、Ｓ２１０３と同様に、変更した共通省電力動作モードへの設定をユーザが承認したか判断する（Ｓ２１０７）。
変更した共通省電力動作モードへの設定をユーザが拒否した場合（Ｓ２１０７：Ｎｏ）、省電力動作モード設定部１８０１は、Ｓ２１０６の動作に戻る。ユーザが共通省電力動作モードを承認するか、または共通省電力動作モードがマスタ１８００のユーザ設定され
ている省電力動作モードになるまで、上記の処理が繰り返される。
【０１１２】
変更した共通省電力動作モードへの設定をユーザが承認した場合（Ｓ２１０７：Ｙｅｓ）、省電力動作モード設定要求・依頼送信部３０４が、通信部２０１を介して、スレーブ１０１に対し、変更した共通省電力動作モードへの設定要求を送信する（Ｓ２１０８）。
【０１１３】
次に、省電力動作モード設定部１８０１が、変更した共通省電力動作モードへの設定を行う（Ｓ２１０９）。これで調停が終了する。
【０１１４】
Ｓ２１０２において、ターゲットＢがマスタ１８００でない、つまりスレーブ１０１である場合（Ｓ２１０２：Ｎｏ）、Ｓ２１１０に進む。Ｓ２１１０では、省電力動作モード設定要求・依頼送信部３０４が、通信部２０１を介して、スレーブ１０１に対し、共通省電力動作モードへの設定依頼を送信する。
【０１１５】
次に、省電力動作モード設定承認・拒否受信部３０５が、通信部２０１を介して、スレーブ１０１からの設定承認・拒否を受信して、スレーブ１０１が設定を承認したかを判断する（Ｓ２１１１）。
スレーブ１０１が共通省電力動作モードへの設定を承認した場合（Ｓ２１１１：Ｙｅｓ）、省電力動作モード設定部１８０１が、共通省電力動作モードへの設定を行う（Ｓ２１１２）。
これで調停が終了する。
【０１１６】
スレーブ１０１が共通省電力動作モードへの設定を拒否した場合（Ｓ２１１１：Ｎｏ）、ディスプレイ出力部２０７が表示部２０６へ図２２に例示するような警告表示を行う（Ｓ２１１３）。
次に、省電力動作モード設定部１８０１は、Ｓ２１０６の動作と同様に、共通省電力動作モードを省電力効果が一段高い省電力動作モードに変更する（Ｓ２１１４）。
次に、省電力動作モード設定要求・依頼送信部３０４が、通信部２０１を介して、スレーブ１０１に対し、変更した共通省電力動作モードへの設定依頼を送信する（Ｓ２１１５）。
そしてＳ２１１１の動作と同様に、省電力動作モード設定要求・依頼受信部２０８が、通信部２０１を介して、スレーブ１０１からの設定承認・拒否を受信して、スレーブ１０１が設定を承認したかを判断する（Ｓ２１１６）。
【０１１７】
スレーブ１０１が変更した共通省電力動作モードへの設定を拒否した場合（Ｓ２１１６：Ｎｏ）、Ｓ２１１３、Ｓ２１１４、Ｓ２１１５、Ｓ２１１６の処理が繰り返される。これにより、スレーブ１０１が変更後の共通省電力動作モードを承認するか、または共通省電力動作モードがスレーブ１０１のユーザ設定している省電力動作モードになるまで、上記の処理が繰り返される。
スレーブ１０１が変更した共通省電力動作モードへの設定を承認した場合（Ｓ２１１６：Ｙｅｓ）、省電力動作モード設定部１８０１が、変更した共通省電力動作モードへの設定を行う（Ｓ２１１７）。
これで調停が終了する。
以上が、省電力動作モード調停Ｂの動作の説明である。
【０１１８】
＜省電力動作モード調停Ｃ＞（図２３）
次に、省電力動作モード調停Ｃの動作について図１５、図１８、図２３を用いて説明する。
まず、省電力動作モード設定部１８０１が、省電力動作モード情報取得部３００で取得したスレーブ１０１の省電力動作モード情報とマスタ１８００の省電力動作モード情報か
ら、省電力効果が最も低い省電力動作モードが設定された可搬型ディスプレイを特定する。ここで、特定した省電力動作１における省電力効果が最も低い省電力動作モードが設定されている可搬型ディスプレイをターゲットＣとする。
【０１１９】
省電力動作モード設定部１８０１は、このターゲットＣに設定されている省電力動作１における省電力動作モードを、共通省電力動作モードと設定する（Ｓ２３０１）。
次に、省電力動作モード設定部１８０１は、ターゲットＣがマスタ１８００であるか判断する（Ｓ２３０２）。
【０１２０】
ターゲットＣがマスタ１８００である場合（Ｓ２３０２：Ｙｅｓ）、省電力動作モード設定要求・依頼送信部３０４が、通信部２０１を介して、スレーブ１０１に対し共通省電力動作モードへの設定依頼を送信する（Ｓ２３０３）。
【０１２１】
省電力動作モード設定承認・拒否受信部３０５が、通信部２０１を介して、スレーブ１０１からの設定承認・拒否の情報を受信し、この情報に基づき省電力動作モード設定部１８０１はスレーブ１０１が設定を承認したかを判断する（Ｓ２３０４）。
スレーブ１０１が共通省電力動作モードへの設定を承認した場合（Ｓ２３０４：Ｙｅｓ）、省電力動作モード調停Ｃは終了する。
スレーブ１０１が共通省電力動作モードへの設定を拒否した場合（Ｓ２３０４：Ｎｏ）、処理はＳ２３０５へ進む。
【０１２２】
なお、Ｓ２３０５、Ｓ２３０６、Ｓ２３０７、Ｓ２３０８、Ｓ２３０９は、図２１に示す省電力動作モード調停ＢにおけるＳ２１１３、Ｓ２１１４、Ｓ２１１５、Ｓ２１１６、Ｓ２１１７と同様な動作であるため説明を省略する。
Ｓ２３０２において、ターゲットＣがマスタ１８００でない、つまりスレーブ１０１である場合（Ｓ２３０２：Ｎｏ）、操作パネル部３１０が表示部２０６に図１５に例示する内容を表示する。そして、省電力動作モード設定部１８０１は、ユーザが共通省電力動作モードへの設定を承認したか判断する（Ｓ２３１０）。
ユーザが共通省電力動作モードへの設定を承認した場合（Ｓ２３１０：Ｙｅｓ）、省電力動作モード設定部１８０１が、共通省電力動作モードへの設定を行う（Ｓ２３１１）。
【０１２３】
ユーザが共通省電力動作モードへの設定を拒否した場合（Ｓ２３１０：Ｎｏ）、省電力動作モード設定部１８０１は、共通省電力動作モードを省電力効果が一段高い省電力動作モードに変更する（Ｓ２３１２）。
次に、省電力動作モード設定部１８０１は、Ｓ２３１０の動作と同様に、変更した共通省電力動作モードへの設定をユーザが承認したかを判断する（Ｓ２３１３）。
【０１２４】
変更した共通省電力動作モードへの設定をユーザが拒否した場合（Ｓ２３１３：Ｎｏ）、省電力動作モード設定部１８０１は、Ｓ２３１２、Ｓ２３１３の処理を繰り返す。これにより、変更後の共通省電力動作モードをユーザが承認するか、または共通省電力動作モードがマスタ１８００のユーザ設定の省電力動作モードになるまで、上記の処理が繰り返される。
変更した共通省電力動作モードへの設定をユーザが承認した場合（Ｓ２３１３：Ｙｅｓ）、省電力動作モード設定部１８０１が、共通省電力動作モードへの設定を行う（Ｓ２３１４）。
これで調停が終了する。
以上が、省電力動作モードＣの動作の説明である。
【０１２５】
＜省電力動作モード情報要求を受信した時のスレーブ１０１の動作＞（図２４）
次に本実施例における省電力動作モード情報要求受信部３１１が、通信部２０１を介し
て、マスタ１８００からの省電力動作モード情報要求を受信した時のスレーブ１０１の動作について図１５、図１８、図２４を用いて説明する。
まず、省電力動作モード情報送信部３１２が、省電力動作モード情報要求受信部３１１がマスタ１８００からの省電力動作モード情報要求を受け、通信部２０１を介して、マスタ１８００へ省電力動作モード情報を送信する（Ｓ２４０１）。
【０１２６】
次に、省電力動作モード設定要求・依頼受信部３１３が、通信部２０１を介して、マスタ１８００から共通省電力動作モードの設定要求を受信したか判断する（Ｓ２４０２）。
設定要求を受信した場合（Ｓ２４０２：Ｙｅｓ）、省電力動作モード設定部３１６が、マスタ１８００が要求した共通省電動作モードへの設定を行う（Ｓ２４０３）。
これで省電力動作モードの設定動作が終了する。そしてコンテンツデータの再生が行われる。
【０１２７】
設定要求を受信しない場合（Ｓ２４０２：Ｎｏ）、省電力動作モード設定要求・依頼受信部３１３が、通信部２０１を介して、マスタ１８００から共通省電力動作モードの設定依頼を受信したか判断する（Ｓ２４０４）。
設定依頼を受信しない場合（Ｓ２４０４：Ｎｏ）、省電力動作モードの設定動作が終了する。そしてコンテンツデータの再生が行われる。
設定依頼を受信した場合（Ｓ２４０４：Ｙｅｓ）、操作パネル部３１０が表示部２０６に図２０の内容を表示し、ユーザが共通省電力動作モードへの設定を承認したか判断する（Ｓ２４０５）。
【０１２８】
ユーザが共通省電力動作モードへの設定を承認した場合（Ｓ２４０５：Ｙｅｓ）、省電力動作モード設定承認・拒否送信部３１４が、通信部２０１を介して、マスタ１８００に対して設定承認の情報を送信する（Ｓ２４０６）。
【０１２９】
次に、省電力動作モード設定部３１６が、共通省電力動作モードへの設定を行う（Ｓ２４０７）。
これで省電力動作モードの設定動作が終了する。そしてコンテンツデータの再生が行われる。
【０１３０】
Ｓ２４０５の動作で、ユーザが共通省電力動作モードへの設定を拒否した場合（Ｓ２４０５：Ｎｏ）、省電力動作モード設定承認・拒否受信部２２２が、通信部２０１を介して、マスタ１８００に対し設定拒否の情報を送信する（Ｓ２４０８）。
次に省電力動作モード設定要求・依頼受信部３１３が、通信部２０１を介して、マスタ１８００からの設定依頼を再受信したか判断する（Ｓ２４０９）。
【０１３１】
マスタ１８００からの設定依頼を再受信しない場合、再受信するまでＳ２４０９の動作を繰り返す。
マスタ１８００からの設定依頼を再受信した場合、操作パネル部３１０が表示部２０６に図２０の内容を表示し、ユーザが再受信した共通省電力動作モードへの設定を承認したか判断する（Ｓ２４１０）。
ユーザが再受信した共通省電力動作モードへの設定を承認した場合、Ｓ２４１１の動作に進む。
【０１３２】
なお、Ｓ２４１１、Ｓ２４１２の動作は、Ｓ２４０６、Ｓ２４０７の動作と同様である為、説明を省略する。
ユーザが再受信した共通省電力動作モードへの設定を拒否した場合、省電力動作モード設定承認・拒否送信部３１４が、通信部２０１介して、マスタ１８００に対して設定拒否を送信し、Ｓ２４０９に戻る（Ｓ２４１３）。
これをユーザが承認するまで繰り返す。
以上が、本実施例におけるスレーブ１０１の動作の説明である。
【０１３３】
以上で説明した本発明の第二の実施例によると、マスタ１８００の省電力動作モード設定部１８０１が、省電力動作モード情報取得部３００で取得したスレーブ１０１の省電力動作モード情報とマスタ１８００の省電力モード情報に含まれる設定要因に基づいて、マスタ１８００及びスレーブ１０１において表示画質が同一になる省電力動作モードを設定する。これにより、消費電力の低減、各可搬型ディスプレイを保有するユーザの意向を考慮しながら、マスタ１８００及びスレーブ１０１の表示画質を同一にすることができる。
【符号の説明】
【０１３４】
１００  マスタ可搬型ディスプレイ、
１０１  スレーブ可搬型ディスプレイ
３００  省電力動作モード情報取得部
３０１  省電力動作モード設定部
３０４  省電力動作モード設定要求・依頼送信部
３０５  省電力動作モード設定承認・拒否受信部
【図１】
2014013323.tif 000003
【図２】
2014013323.tif 000004
【図３】
2014013323.tif 000005
【図４】
2014013323.tif 000006
【図５】
2014013323.tif 000007
【図６】
2014013323.tif 000008
【図７】
2014013323.tif 000009
【図８】
2014013323.tif 000010
【図９】
2014013323.tif 000011
【図１０】
2014013323.tif 000012
【図１１】
2014013323.tif 000013
【図１２】
2014013323.tif 000014
【図１３】
2014013323.tif 000015
【図１４】
2014013323.tif 000016
【図１５】
2014013323.tif 000017
【図１６】
2014013323.tif 000018
【図１７】
2014013323.tif 000019
【図１８】
2014013323.tif 000020
【図１９】
2014013323.tif 000021
【図２０】
2014013323.tif 000022
【図２１】
2014013323.tif 000023
【図２２】
2014013323.tif 000024
【図２３】
2014013323.tif 000025
【図２４】
2014013323.tif 000026